(57)【要約】【課題】表示部を既定のクリーニング部材を用い一定の荷重で拭きとることが可能で、かつ携帯型電子機器に搭載可能な構成を提案することを目的とする。【解決手段】略平坦な表示面を有する表示部と、前記表示部収納面を有する筺体と、前記表示部と前記筺体とを機械的に接続するヒンジ機構とを有し、前記表示部の収納状態と非収納状態の二つの形態を有し、前記収納状態では、前記表示面と前記表示部収納面とが略平行であり、かつ前記表示部の構成要素の中で、前記表示面が前記表示部収納面に最も近接する構成であり、前記収納状態から前記非収納状態に遷移する際、前記表示面と前記表示部収納面とが略平行の状態を保つ場合において、前記表示部収納面に弾性部材であるクリーニング部材を配置し、かつ前記収納状態から前記非収納状態に遷移する際、前記表示面と前記クリーニング部材が干渉することを特徴とすることを特徴としている。【選択図】図２ａ
2016005108.tif 000002
【特許請求の範囲】
【請求項１】
平坦な表示面を有する表示部と、
前記表示部収納面を有する筺体と、
前記表示部と前記筺体とを機械的に接続するヒンジ機構とを有し、
前記表示部の収納状態と非収納状態の二つの形態を有し、
前記収納状態では、前記表示面と前記表示部収納面とが平行であり、かつ前記表示部の構成要素の中で、前記表示面が前記表示部収納面に最も近接する構成であり、
前記収納状態から前記非収納状態に遷移する際、前記表示面と前記表示部収納面とが平行の状態を保つ場合において、
前記表示部収納面に弾性部材であるクリーニング部材を配置し、かつ前記収納状態から前記非収納状態に遷移する際、前記表示面と前記クリーニング部材が干渉することを特徴とする電子機器。
【請求項２】
前記クリーニング部材は、前記収納状態の際、前記表示面に干渉しないことを特徴とする請求項１に記載の電子機器。
【請求項３】
前記表示部と前記筺体は前記表示面に対して垂直方向に系合する系合部を互いに有することを特徴とする請求項１又は請求項２に記載の電子機器。
【発明の詳細な説明】
【技術分野】
【０００１】
本発明は、表示部を有する電子機器のクリーニングに関するものである。
【背景技術】
【０００２】
従来、表示部を有する電子機器、特にタッチセンサーを搭載した表示部の場合において、ユーザーが表示部の表示面に直接触れるため、表示面が汚れやすいという問題があった。上記問題に対して、ユーザーが直接表示面を布などのクリーニング部材で拭きとることが一般的であった。それゆえ不適切な材質の布を使用する、もしくは必要以上の荷重で拭きとることがあり、表示面に傷がつく問題が発生した。上記問題に対しては既定のクリーニング部材を用い一定の荷重で拭きとることで解決を図っている（特許文献１）。
【先行技術文献】
【特許文献】
【０００３】
【特許文献１】特開平１−１５７５９４号公報
【発明の概要】
【発明が解決しようとする課題】
【０００４】
しかしながら、特許文献１では大掛かりな機構が必要なため携帯型電子機器には適していなかった。よって、本発明では、表示部を既定のクリーニング部材を用い一定の荷重で拭きとることが可能で、かつ携帯型電子機器に搭載可能な構成を提案することを目的とする。
【課題を解決するための手段】
【０００５】
本発明の電子機器は、
略平坦な表示面を有する表示部と、
前記表示部収納面を有する筺体と、
前記表示部と前記筺体とを機械的に接続するヒンジ機構とを有し、
前記表示部の収納状態と非収納状態の二つの形態を有し、
前記収納状態では、前記表示面と前記表示部収納面とが略平行であり、かつ前記表示部の構成  要素の中で、前記表示面が前記表示部収納面に最も近接する構成であり、
前記収納状態から前記非収納状態に遷移する際、前記表示面と前記表示部収納面とが略平行の状態を保つ場合において、
前記表示部収納面に弾性部材であるクリーニング部材を配置し、かつ前記収納状態から前記非  収納状態に遷移する際、前記表示面と前記クリーニング部材が干渉することを特徴とすることを特徴としている。
【発明の効果】
【０００６】
本発明によれば、クリーニング機構を携帯型電子機器に搭載可能で、かつ表示面を傷つけることなく表示面のクリーニングが可能である。
【図面の簡単な説明】
【０００７】
【図１ａ】本実施形態を説明する電子機器
【図１ｂ】本実施形態を説明する電子機器
【図２ａ】図１ｂの矢印１６方向から見た図
【図２ｂ】クリーニング部材２１の単部品図
【図３ａ】表示部１１が回動する際のクリーニング部材２１と表示面１４との位置関係を示す図
【図３ｂ】表示部１１が回動する際のクリーニング部材２１と表示面１４との位置関係を示す図
【図３ｃ】表示部１１が回動する際のクリーニング部材２１と表示面１４との位置関係を示す図
【図３ｄ】表示部１１が回動する際のクリーニング部材２１と表示面１４との位置関係を示す図
【図３ｅ】表示部１１が回動する際のクリーニング部材２１と表示面１４との位置関係を示す図
【図３ｆ】表示部１１が回動する際のクリーニング部材２１と表示面１４との位置関係を示す図
【図４ａ】筺体１５と表示部１１の系合の構造を示す図
【図４ｂ】筺体１５と表示部１１の系合の構造を示す図
【図４ｃ】筺体１５と表示部１１の系合の構造を示す図
【図４ｄ】筺体１５と表示部１１の系合の構造を示す図
【図４ｅ】筺体１５と表示部１１の系合の構造を示す図
【図５】図４ｄの断面図ＢＢ
【発明を実施するための形態】
【０００８】
以下、本発明を実施するための形態を図面に基づいて説明する。
【０００９】
＜第１の実施形態＞
（部品構成）
図１は本実施形態を説明する電子機器である。ここでは電子機器の例として携帯型撮像装置を用いて説明する。
【００１０】
図１ａは表示部収納状態、図１ｂは表示部非収納状態を示している。１１は表示部、１２は表示部収納面、１３はヒンジの回転軸、１４は表示面、１５は筺体、１６は図２のビューを示す矢印であり、表示面１４にはタッチパネルを配置してある。
【００１１】
図２ａは図１ｂの矢印１６方向から見た図であり、２１は表示部収納面１２の上に配置されているクリーニング部材である。図２ｂはクリーニング部材２１の単部品図である。クリーニング部材２１は弾性部材であり、例えば、発泡性のスポンジなどである。
【００１２】
図３は表示部１１が回動する際のクリーニング部材２１と表示面１４との位置関係を示す図である。ここでは、分かりやすくするため表示部収納面１２や筺体１５は図示していない。図３ａは表示部収納状態、図３ｂ〜ｅは表示部収納状態から非収納状態へ遷移する状態、図３ｆは表示部非収納状態である。
【００１３】
図４は筺体１５と表示部１１の系合の構造を示している。図４ａは表示部１１に形成されている凹４１を、図４ｂは筺体１５に形成されている凸形状のレール４２を、図４ｃは図４ａと図４ｂとを合わせた図である。図４ｄは表示部収納状態の撮像装置を上面から見た図であり、一点鎖線で示すラインは断面ＡＡと断面ＢＢである。図４ｅは図４ｄの断面図ＡＡであり凹形状４１と凸形状４２が系合している様子を示している。
【００１４】
図５は図４の断面図ＢＢであり、表示部収納状態のクリーニング部材２１と表示部１１との関係を示す断面図となっている。
【００１５】
表示部１１は表示部収納状態でクリーニング部材２１と干渉しないように表示面１４より一段面を落とした形状５１を有する。
【００１６】
（構造および動作について）
図１に示すように、平坦な表示面１４を有する表示部１１と表示部収納面１２を有する筺体１５と、表示部１１と筺体１５とを機械的に接続するヒンジを有し、ヒンジの回転軸１３を中心に表示部１１は回動する。
【００１７】
収納状態では、表示面１４と表示部収納面１２とが略平行であり、かつ表示部１１の構成要素の中で、表示面１４が表示部収納面１２に最も近接する構成となる。
【００１８】
収納状態から非収納状態に遷移する際、表示面１４と表示部収納面１２とが略平行の状態を保つ構成となる。また図２に示すように表示部収納面１２に弾性部材であるクリーニング部材２１を配置し、かつ収納状態から非収納状態に遷移する際、表示面１４とクリーニング部材２１が干渉する構成となる。
【００１９】
また図３ａ〜ｆに示すように、表示部１１の回動により、クリーニング部材が表示面１４の表面を通過する構成となる。
【００２０】
以上の構成により、表示部１１の収納動作によって自動的に表示面１４のクリーニングが可能となる。
【００２１】
（クリーニング部材２１の形状について）
クリーニング部材２１は、図３ａで示すような表示面１４の縁に配置されるような細長い形状とする。これは表示部１１の回動の際に表示面１４を全域クリーニングできるだけではなく、図５で示すように表示部１１の収納状態の際、表示面１４に干渉しない形状としている。これにより、表示部収納時、表示面１４に常に力がかかってしまうことを回避できる。よって表示面１４に配置したタッチパネルに常に力がかかることによるタッチパネルの性能劣化を回避できる。
【００２２】
（表示面１４の傷つき防止のための構造について）
図４に示すように、表示部１１と筺体１５は表示面１４に対して垂直方向に系合するレール状の系合部（凹形状４１、凸形状４２）を互いに有する。凸形状と凹形状は逆でもよい。
【００２３】
これにより、ユーザーが過度の力で表示面１４をクリーニング部材２１に押しつけても、レール状の系合部によって表示面１４に対するクリーニング部材との距離が一定に保たれるため、表示面１４に傷をつけることなく均一に表示面１４をクリーニングできる。
【００２４】
（クリーニング部材のへたり防止構造について）
クリーニング部材２１は、長時間圧縮し続けると形状が元に戻らないへたりという現象が生ずる懸念がある。そのため、図５に示すように、表示部収納時、クリーニング部材２１が表示部１１に干渉させない配置とする、それにより長時間表示部収納状態で電子機器を保存していてもクリーニング部材のへたりが起こらない構造となっている。
【００２５】
以上の構成により、クリーニング機構を携帯型電子機器に搭載可能で、かつ表示面を傷つけることなく表示面のクリーニングが可能である。
【符号の説明】
【００２６】
１１  表示部、１２  表示部収納面、１３  ヒンジの回転軸、１４  表示面、
１５  筺体、１６  図２のビューを示す矢印、
２１  表示部収納面１２の上に配置されているクリーニング部材、
４１  表示部１１に形成されている凹、
４２  筺体１５に形成されている凸形状のレール、
５１  表示面１４より一段面を落とした形状、Ａ，Ｂ  断面を示す記号
【図１ａ】
2016005108.tif 000003
【図１ｂ】
2016005108.tif 000004
【図２ａ】
2016005108.tif 000005
【図２ｂ】
2016005108.tif 000006
【図３ａ】
2016005108.tif 000007
【図３ｂ】
2016005108.tif 000008
【図３ｃ】
2016005108.tif 000009
【図３ｄ】
2016005108.tif 000010
【図３ｅ】
2016005108.tif 000011
【図３ｆ】
2016005108.tif 000012
【図４ａ】
2016005108.tif 000013
【図４ｂ】
2016005108.tif 000014
【図４ｃ】
2016005108.tif 000015
【図４ｄ】
2016005108.tif 000016
【図４ｅ】
2016005108.tif 000017
【図５】
2016005108.tif 000018